(57)【特許請求の範囲】
【請求項１】
表示装置と、端末装置と、を備えるネットワーク端末システムに用いられる表示装置で
あって、
ユーザーを識別する識別情報を記憶する記憶部と、
前記端末装置から送信された認証情報と、前記識別情報と、に基づき前記端末装置を認
証する機器認証部と、
前記端末装置に前記表示装置を操作するための操作画面を表示するための操作画面情報
を送信し、前記端末装置から、前記認証が成功した場合に、前記操作画面情報に基づく前
記表示装置の操作内容を含む操作情報と、ユーザーごとの設定情報を含むユーザープロフ
ァイル情報と、を受信する通信部と、
受信した前記ユーザープロファイル情報に基づきユーザー毎に作成された操作画面を表
示する表示部と、
受信した前記操作情報に基づいて、前記表示装置を操作する制御部と、
一以上の前記端末装置に対して前記認証情報に基づきユーザーアカウントを設定し、前
記ユーザーアカウントと前記ユーザープロファイル情報とを関連付けて管理するユーザー
アカウント管理部と、を備え、
前記制御部は、前記端末装置が認証されている場合に別の端末装置から認証情報が送信
された場合に、制限モードで前記表示装置を動作させ、
前記通信部は、前記別の端末装置が前記機器認証部によって認証された場合は、既に認
証されている前記端末装置から送信された操作情報に基づく操作と並列して処理可能な操
作を識別する情報を前記別の端末装置に送信すること、
を特徴とすることを特徴とする表示装置。
【請求項２】
表示装置と、端末装置と、を備えるネットワーク端末システムに用いられる表示装置で
あって、
ユーザーを識別する識別情報を記憶する記憶部と、
前記端末装置から送信された認証情報と、前記識別情報と、に基づき前記端末装置を認
証する機器認証部と、
前記端末装置に前記表示装置を操作するための操作画面を表示するための操作画面情報
を送信し、前記端末装置から、前記認証が成功した場合に、前記操作画面情報に基づく前
記表示装置の操作内容を含む操作情報と、ユーザーごとの設定情報を含むユーザープロフ
ァイル情報と、を受信する通信部と、
受信した前記ユーザープロファイル情報に基づきユーザー毎に作成された操作画面を表
示する表示部と、
受信した前記操作情報に基づいて、前記表示装置を操作する制御部と、
一以上の前記端末装置に対して前記認証情報に基づきユーザーアカウントを設定し、前
記ユーザーアカウントと前記ユーザープロファイル情報とを関連付けて管理するユーザー
アカウント管理部と、を備え、
前記通信部は、前記端末装置が認証されている場合に別の端末装置から認証情報が送信
された場合に、複数のユーザーアカウントにより同時動作が不可能な場合は、前記別の端
末装置が前記端末装置に前記表示装置の使用について問合せができるように、前記端末装
置に関する情報を前記別の端末装置に送信すること、
を特徴とすることを特徴とする表示装置。
【請求項３】
前記表示装置はユーザーからの入力を受け付ける第二の入力部を備え、
前記ユーザーアカウント管理部は、前記第二の入力部が受け付けた入力に基づきユーザ
ーアカウントを変更することを特徴とする請求項２記載の表示装置。
【請求項４】
前記ユーザーアカウント管理部は、前記表示装置のユーザーアカウントを設定可能であ
り、
前記制御部は、前記表示装置のユーザーアカウントが設定されていない場合は、前記第
二の入力部による認証情報の入力を要求せずに前記表示装置への操作を受け付けることを
特徴とする請求項３記載の表示装置。
【請求項５】
表示装置と、端末装置と、を備えるネットワーク端末システムであって、
前記端末装置は、
認証情報を生成する第一の機器認証部と、
前記表示装置から受信した操作画面情報に基づき操作画面を表示する表示部と、
前記操作画面に基づきユーザーから操作の入力を受け付ける入力部と、
ユーザー毎の設定情報を含むユーザープロファイル情報を生成するユーザープロファイ
ル情報生成部と、
前記認証情報を前記表示装置に送信し、前記入力部が受け付けた入力に基づき作成され
た操作情報と前記ユーザープロファイル情報を前記表示装置に送信する第一の通信部と、
を備え、
前記表示装置は、
ユーザーを識別する識別情報を記憶する記憶部と、
前記端末装置から送信された認証情報と、前記識別情報と、に基づき前記端末装置を認
証する第二の機器認証部と、
前記端末装置に前記操作画面情報を送信し、前記端末装置から、前記認証情報を受信し
、前記認証が成功した場合に、前記操作情報と、前記ユーザープロファイル情報と、を受
信する第二の通信部と、
受信した前記ユーザープロファイル情報に基づきユーザー毎に作成された操作画面を表
示する表示部と、
受信した前記操作情報に基づいて、前記表示装置を操作する制御部と、
一以上の前記端末装置に対して前記認証情報に基づきユーザーアカウントを設定し、前
記ユーザーアカウントと前記ユーザープロファイル情報とを関連付けて管理するユーザー
アカウント管理部と、を備え、
前記制御部は、前記端末装置が認証されている場合に別の端末装置から認証情報が送信
された場合に、制限モードで前記表示装置を動作させ、
前記第二の通信部は、前記別の端末装置が前記第二の機器認証部によって認証された場
合は、既に認証されている前記端末装置から送信された操作情報に基づく操作と並列して
処理可能な操作を識別する情報を前記別の端末装置に送信すること、
を特徴とするネットワーク端末システム。
【請求項６】
表示装置と、端末装置と、を備えるネットワーク端末システムであって、
前記端末装置は、
認証情報を生成する第一の機器認証部と、
前記表示装置から受信した操作画面情報に基づき操作画面を表示する表示部と、
前記操作画面に基づきユーザーから操作の入力を受け付ける入力部と、
ユーザー毎の設定情報を含むユーザープロファイル情報を生成するユーザープロファイ
ル情報生成部と、
前記認証情報を前記表示装置に送信し、前記入力部が受け付けた入力に基づき作成され
た操作情報と前記ユーザープロファイル情報を前記表示装置に送信する第一の通信部と、
を備え、
前記表示装置は、
ユーザーを識別する識別情報を記憶する記憶部と、
前記端末装置から送信された認証情報と、前記識別情報と、に基づき前記端末装置を認
証する第二の機器認証部と、
前記端末装置に前記操作画面情報を送信し、前記端末装置から、前記認証情報を受信し
、前記認証が成功した場合に、前記操作情報と、前記ユーザープロファイル情報と、を受
信する第二の通信部と、
受信した前記ユーザープロファイル情報に基づきユーザー毎に作成された操作画面を表
示する表示部と、
受信した前記操作情報に基づいて、前記表示装置を操作する制御部と、
一以上の前記端末装置に対して前記認証情報に基づきユーザーアカウントを設定し、前
記ユーザーアカウントと前記ユーザープロファイル情報とを関連付けて管理するユーザー
アカウント管理部と、を備え、
前記第二の通信部は、前記端末装置が認証されている場合に別の端末装置から認証情報
が送信された場合に、複数のユーザーアカウントにより同時動作が不可能な場合は、前記
別の端末装置が前記端末装置に前記表示装置の使用について問合せができるように、前記
端末装置に関する情報を前記別の端末装置に送信すること、
を特徴とするネットワーク端末システム。
【請求項７】
前記表示装置はユーザーからの入力を受け付ける第二の入力部を備え、
前記ユーザーアカウント管理部は、前記第二の入力部が受け付けた入力に基づきユーザ
ーアカウントを変更することを特徴とする請求項６記載のネットワーク端末システム。
【請求項８】
前記ユーザーアカウント管理部は、前記表示装置のユーザーアカウントを設定可能であ
り、
前記制御部は、前記表示装置のユーザーアカウントが設定されていない場合は、前記第
二の入力部による認証情報の入力を要求せずに前記表示装置への操作を受け付けることを
特徴とする請求項７記載のネットワーク端末システム。
【発明の詳細な説明】
【技術分野】
【０００１】
本発明は、ネットワーク端末システム、表示装置及び端末装置に関する。
【背景技術】
【０００２】
本技術分野の背景技術として、特開２００５−１７３８２６号公報（特許文献１）がある。この公報には、「外部記録媒体を用いることによって、複数のユーザ（使用者）によって共有（共用）される電子機器において、共有者各人のプライバシーを確実に保護し、
用途の異なる外部記録媒体の使い分けができる電子機器を提供する。」と記載があり、電子機器の外部記憶媒体の装填部に外部記憶媒体が装填されたときに、外部記憶媒体からＩＳＰ情報やユーザのメールアカウント情報などのネットワーク接続機能を使用する際に必要な情報を読み出し、この読み出した情報を用いて、ネットワーク接続機能の送受のアクセスを実行するようにすることが記載されている。
【先行技術文献】
【特許文献】
【０００３】
【特許文献１】特開２００５−１７３８２６号公報
【発明の概要】
【発明が解決しようとする課題】
【０００４】
前記特許文献１には、様々な使用環境、使用状況に応じてユーザーにとって使い勝手が十分ではなかった。例えば、特許文献１において、電子機器を複数のユーザーで共有する場合、各人のプライバシーを保護しながら使い分けできるようにする必要があるが、例えばテレビ受信機のように、テレビ番組を視聴するだけの場合等のようにプライバシーに依存しない部分と、ネットワークに接続して動画配信番組を視聴するような場合等のようにプライバシーに依存する部分があるような場合は、一律的にユーザー毎に使い分けすることは使い勝手が悪かった。
【課題を解決するための手段】
【０００５】
上記課題を解決するためには、例えば特許請求の範囲に記載の構成を採用すればよく、例えば特許請求の範囲に記載のように、表示装置と、端末装置と、を備えるネットワーク端末システムに用いられる表示装置であって、前記端末装置に前記表示装置を操作するための操作画面を出力するための操作画面情報を送信し、前記端末装置から、前記操作画面情報に基づく前記表示装置の操作内容を含む操作情報と、ユーザーごとの設定情報を含むユーザープロファイル情報と、を受信する通信部と、受信した前記ユーザープロファイル情報に基づきユーザー毎に作成された操作画面を出力する出力部と、受信した前記操作情報に基づいて、前記表示装置を操作する制御部と、を備えることを特徴とする表示装置を提供することで達成できる。
【発明の効果】
【０００６】
本発明によれば、より使い勝手のよい映像視聴システムを提供できる。
【図面の簡単な説明】
【０００７】
【図１（ａ）】システム構成の一例を示すブロック図である。
【図１（ｂ）】テレビ受信機の構成の一例を示すブロック図である。
【図１（ｃ）】無線端末の構成の一例を示すブロック図である。
【図１（ｄ）】コンテンツ配信サーバーの構成の一例を示すブロック図である。
【図２（ａ）】テレビ受信機のストレージ及びメモリの内部構成の例である。
【図２（ｂ）】無線端末のストレージ及びメモリの内部構成の例である。
【図２（ｃ）】コンテンツ配信サーバーのストレージ及びメモリの内部構成の例である。
【図３（ａ）】無線端末で管理されるユーザープロファイル情報の内容例を示すデータテーブルである。
【図３（ｂ）】無線端末で管理されるユーザープロファイル情報の内容例を示すデータテーブルである。
【図４（ａ）】コンテンツ配信サーバーで管理されるユーザー認証情報の内容例を示すデータテーブルである。
【図４（ｂ）】コンテンツ配信サーバーで管理される機器認証情報の内容例を示すデータテーブルである。
【図５】第一の実施形態に係る動作シーケンスの一例を示す図である。
【図６】無線端末のメニュー画面の表示例を示す。
【図７】無線端末の接続機器一覧表示画面の表示例を示す。
【図８】第一の実施形態に係る動作シーケンスの一例を示す図である。
【図９（ａ）】無線端末の操作画面の表示例を示す。
【図９（ｂ）】無線端末の操作画面の表示例を示す。
【図１０】テレビ受信機のＡｐｐメニュー画面の表示例を示す。
【図１１】テレビ受信機のコンテンツ一覧表示画面の表示例を示す。
【図１２】テレビ受信機のコンテンツ詳細表示画面の表示例を示す。
【図１３】第二の実施形態に係る動作シーケンスの一例を示す図である。
【図１４】無線端末のメッセージ表示画面の表示例を示す。
【図１５】第二の実施形態に係る動作シーケンスの一例を示す図である。
【図１６】第三の実施形態に係る動作シーケンスの一例を示す図である。
【図１７】第三の実施形態に係る動作シーケンスの一例を示す図である。
【図１８】テレビ受信機のメッセージ表示画面の表示例を示す。
【図１９】テレビ受信機のメニュー表示画面の実施例を示す。
【図２０】第四の実施形態に係る動作シーケンスの一例を示す図である。
【図２１】第五の実施形態に係る動作シーケンスの一例を示す図である。
【図２２】第六の実施形態に係る動作シーケンスの一例を示す図である。
【発明を実施するための形態】
【０００８】
以下、本発明の実施形態について、図面を参照しながら説明する。
【実施例１】
【０００９】
以下、本発明に係る第一の実施形態について、図面を参照しながら説明する。本実施形態では、映像や音声や文字情報などのコンテンツをインターネットで配信するサービス（以下、ＩＰＴＶサービスと呼ぶ）を利用する場合を例として説明するが、本実施例に限定されるものではない。【００１０】
ＩＰＴＶサービスは、その形態から、ストリーミング、ダウンロード、およびプログレッシブダウンロードの３つのサービスに大別される。ストリーミングは、サーバーからコンテンツのデータをクライアントに逐次配信し、クライアントでは到着したデータから映像や音声等を再生することでユーザーに提示する。このため、十分に帯域の広いネットワークがある場合に、ほぼリアルタイムにユーザーがコンテンツを視聴可能なことが特徴である。【００１１】
ダウンロードはクライアントがサーバーからあらかじめコンテンツデータのすべてを取得して蓄積しておき、蓄積完了後に視聴再生を行う。このため、リアルタイムに視聴する必要が無い場合、予めすべてのコンテンツデータを配信完了して蓄積することで、ユーザーが所望のタイミングで何度も視聴することが可能であり、十分に帯域の広いネットワークでなくてもコンテンツ配信を受けられることが特徴である。
また、プログレッシブダウンロードは、これら２つの中間に位置し、コンテンツのすべての配信が完了する前に、端末に蓄積された中から逐次視聴を行う。これにより、必ずしも蓄積完了を待つ必要が無く、帯域が十分広くない場合にも蓄積時間を短縮することができ、また、蓄積完了後であればユーザー所望のタイミングで何度も視聴できるというメリットを提供できる。【００１２】
ＩＰＴＶサービスを含むコンテンツ配信サービスにおいては、ユーザーが配信サービスを受ける対価としてのサービス事業者による利用料の課金が行われることが多い。このとき、ユーザーが正規利用者として予め登録されており、識別子(ＩＤ)を手がかりに、パスワード（指紋等の生体情報等でもよい）、氏名および住所等の各種情報が管理される。【００１３】
有料となるコンテンツの配信の場合は、蓄積あるいは視聴する際の課金情報を記録可能であり、別途指定される支払い方法により利用料の支払いが可能であることが確認される。配信サービスの利用段階においては、登録情報の識別子（ＩＤ）およびパスワードによる管理情報との照合を行い、サービスを利用可能にするためのユーザー認証を受ける必要がある。この認証された正規利用者には、配信を受けるコンテンツの選択や検索、そのほかの情報配信等のサービスを選択するためにコンテンツ視聴ポータル画面を提供することが多い。【００１４】
また、ユーザーが使用する機器が、サービス事業者が推奨する機器であるか、あるいは、機器内で動作する配信サービスを受けるプログラムが推奨のプログラムであるかなどを、配信サービスに先行して通信により確認する機器認証を行うことが多い。これにより、無断にコピーや移動、改変などの著作権法等の法令を違反する行為や、コンテンツの不正利用を防止する。【００１５】
このとき、コンテンツを予め共通鍵暗号方式で暗号化しておき、認証された正規利用者のみが複合できるように、または認証された正規接続機器でのみ復号できるように、更には、正規利用者が認証された正規接続機器でのみ複合できるように、暗号を解読するための鍵を別途受け取りコンテンツと結び付けて保持することがある。また、公開鍵暗号化方式を用いて、公開鍵と秘密鍵を接続機器側、あるいはサービス事業者で用意し、秘密鍵を利用者登録時等に接続機器に送り、サービス事業者と接続機器でそれぞれ暗号化、復号化に用いても良い。一般にこれら復号のための鍵は、コンテンツ再生の期限や回数、および、再生可能なユーザーや機器等の再生条件とともに記録される。以下、暗号化のための鍵を暗号鍵、復号のための鍵を復号鍵と呼ぶ。【００１６】
このように、ＩＰＴＶサービスのサービス事業者は、コンテンツやサービスの提供者の代行として、ユーザー認証と機器認証、および、復号鍵の関係付けにより、サービス事業者は、コンテンツやサービスの提供者の代行として、コンテンツ配信サービス等をユーザーに安全に提供し、確実な課金を行うこととなる。以降、ユーザーは所望するコンテンツの配信を受け、正しくコンテンツ再生等のサービスを授受することとなる。さらにこれらに基づいて、ユーザーは著作権に基づいて再生できる権利に対応させて結び付けたコンテンツを保持することが可能となる場合もある。【００１７】
ユーザーは、このようにして得られたコンテンツおよび復号鍵を用いて所定の機器によりコンテンツの再生を行うが、これらは通常同一装置、同一ユーザーが前提となっている。これに対して、同一ユーザーが複数の装置を所有しており、同じコンテンツを別の装置で再生したい場合には、同一コンテンツに対しても再度課金されてしまう不便さがある。そのため、再生できる権利を有する同一ユーザーであればサービス事業者が許容する機器台数の範囲内において、複数の機器においてコンテンツを再生することを許可するサービスがある。【００１８】
また、コンテンツと同様にアプリケーションソフトウェアをダウンロード購入して、機器側でアプリケーションソフトウェアを動作することによりその機能を享受するサービスもある。認証された正規利用者には、前記のコンテンツの場合と同様にダウンロードできる権利を有する同一ユーザーであればサービス事業者が許容する機器台数の範囲内において、複数の機器においてアプリケーションをダウンロードすることを許可するサービスもある。【００１９】
［システム構成］
図１（ａ）は、第一の実施形態に係るネットワーク端末システムの一実施例を示すブロック構成図である。【００２０】
本実施例のネットワーク端末システムは、例えば、テレビ受信機１、テレビ受信機２、無線端末３、無線端末４、無線ルーター５、外部ネットワーク６、コンテンツ配信サーバー７から構成される。図示の例は、情報通信端末としての携帯電話機等の移動体通信端末である無線端末３または無線端末４の利用者が、その無線端末３または無線端末４を持って家庭や店舗等で、テレビ受信機１またはテレビ受信機２でテレビ番組を視聴しているときの例である。【００２１】
無線ルーター５は、Ｗｉ−Ｆｉなどの無線ＬＡＮ機能を備え、通信回線を経由して外部ネットワーク６に接続できる。また、無線ルーター５は、テレビ受信機１、テレビ受信機２、無線端末（無線端末１）３、無線端末（無線端末２）４、外部ネットワーク６と接続されており、テレビ受信機１またはテレビ受信機２、無線端末３または無線端末４は、インターネット網から情報を入手することができる。
また、無線ルーター５は、テレビ受信機１またはテレビ受信機２とは、有線ＬＡＮまたは無線ＬＡＮで接続されており、無線端末３または無線端末４とは無線ＬＡＮで接続されているものとする。ここで、Ｗｉ−Ｆｉは、ＩＥＥＥ(米国電気電子学会)の規格「IEEE 802.11a/IEEE 802.11b」で策定された無線ＬＡＮ（Local Area Network）の標準規格である。【００２２】
コンテンツ配信サーバー７は、映像、音声等のコンテンツを蓄積し、ネットワークに接続されたテレビ受信機１またはテレビ受信機２、無線端末３または無線端末４の要求に応じてコンテンツを配信するコンテンツ管理装置である。コンテンツ配信サーバー７は、外部ネットワーク６と接続され、テレビ受信機１またはテレビ受信機２、無線端末３または無線端末４は無線ルーター５を経由して外部ネットワーク６に接続されたコンテンツ配信サーバー７と情報の送受信や、コンテンツおよび暗号化されたコンテンツを復号するための鍵等のコンテンツに関する情報の受信を行うことができる。また、無線端末３または無線端末４は、移動体通信網を利用して基地局９を通して通信ネットワークに接続し、通信ネットワークに接続された外部ネットワークを介しても情報の送受信およびコンテンツの受信を行うこともできる。【００２３】
以下、本発明に係る第一の実施形態を、図面を参照しながら説明する。【００２４】
［テレビ受信機のハードウェア構成］
図１（ｂ）は、テレビ受信機１の構成図の一例である。なお、テレビ受信機２の各部の構成は、テレビ受信機１と同様のため説明を省略する。テレビ受信機１は、例えば、アンテナ１１に接続され、チューナ・復調部１２、選局制御部１３、信号分離部１４、音声復調部１５、スピーカ１６、音声出力部１７、映像復調部１８、重畳部１９、表示部２０、映像出力部２１、通信Ｉ／Ｆ２２、入力手段２３、制御部２４、メモリ２５、ストレージ２６など有し、それぞれの処理部がバス２８を介して接続される。【００２５】
テレビ受信機１の各種動作機能は、アプリケーションプログラムにより実現する。このアプリケーションプログラムはストレージ２６に格納されており、制御部２４がストレージ２６から上記プログラムをメモリ２５に展開し、制御部２４が上記プログラムを実行することでさまざまな機能を実現する。以下の説明では簡単のために、制御部２４が各プログラムを実行して実現する各種機能を、メモリ２５に展開された「各種プログラム機能部」が主体となって実現することとして説明する。【００２６】
上記アプリケーションプログラムは、テレビ受信機１が出荷時点で予めストレージ２６に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて、図示しない媒体接続部を介してテレビ受信機１にインストールされても良い。また、通信Ｉ／Ｆ２２及び無線ルーター５を介して外部ネットワーク６からダウンロードしてインストールすることも可能である。なお、上記アプリケーションプログラムによる各種機能は、同様の機能を持つ処理部としてハードウェアで実現することも可能である。ハードウェアとして実現する場合は、各処理部が主体となって各機能を実現する。【００２７】
入力手段２３は、ユーザーからのテレビ受信機１に対する入力操作を受け付ける入力デバイスであり、例えば、リモコン、キーボード、マウス等のポインティングデバイス等が相当する。【００２８】
制御部２４は、入力手段２３を介してユーザーの入力操作を受け取り、選局制御部１３、信号分離部１４、重畳部１９、メモリ２５（各種プログラム機能部）、ストレージ２６、通信Ｉ／Ｆ２２、各処理部を制御する。【００２９】
チューナ・復調部１２は、選局制御部１３に制御され、所望のサービスのチャンネルに同調する。アンテナ１１を介し受信した放送局８からの所望のデジタル放送信号を選局し、放送信号を復調してトランスポートストリームを生成する。【００３０】
選局制御部１３は、入力手段２３を介してサービスを選局する指示を受け、選局するチャンネルを切り替えるようにチューナ・復調部１２を制御する。また、選局制御部１３は、各種プログラム機能部からの指示により、現在放送中のイベント（番組）を放送しているサービス（チャンネル番号）およびそのサービスが属する放送提示単位に切り替えるようにチューナ・復調部１２を制御する。【００３１】
通信Ｉ／Ｆ２２は、有線ＬＡＮまたは無線ＬＡＮにより無線ルーター５に接続される。通信Ｉ／Ｆ２２は無線ルーター５を介して他のテレビ受信機２、無線端末３または無線端末４と各種情報を送受信する。また通信Ｉ／Ｆ２２は、無線ルーター５を介して外部ネットワーク６と接続された装置とも各種情報を送受信可能である。例えば、外部ネットワーク６と接続されたコンテンツ配信サーバー７等から、ＩＰ放送やビデオオンデマンドなどの形態でコンテンツストリーム（映像音声ストリーム）を受信することが可能である。また、外部ネットワーク６と接続されたコンテンツ配信サーバー７等から映像ストリームやアプリケーションプログラムをダウンロードすることも可能である。ダウンロードしたデータまたは情報は、例えばストレージ２６に格納される。また、無線ルーター５との通信機能に加えてまたはこれに替えて、Ｗｉ‐Ｆｉ（登録商標）などの無線ＬＡＮ、ＩｒＤＡ(登録商標)、Ｂｌｕｅｔｏｏｔｈ(登録商標)、ＮＦＣ（Near Field Communication）などの方法で外部の機器と無線ルーター５を介さずに直接通信するように構成してもよい。通信Ｉ／Ｆ２２は、異なる通信方式を行うチップをそれぞれ実装しても良い。また、複数の通信方式を扱う１つのチップとして実装されていても良い。以下、通信Ｉ／Ｆ２２は無線ルーター５を介してテレビ受信機２、無線端末３または無線端末４と各種情報を送受信する例を説明するが、上述のとおり無線ルーター５を介さずに各種情報を直接送受信してもよい。【００３２】
信号分離部１４は、チューナ・復調部１２で得たトランスポートストリームや、通信Ｉ／Ｆ２２を介して得たコンテンツのストリームについて、映像データ、音声データ、字幕文データ、番組情報等、種類ごとに分離する。また番組情報（例えば、番組配列情報（ＳＩ））を取得し、他の処理ブロックに送信する機能を有する。また、他の処理部からデータ送信要求があった場合には、指定されたデータを、要求元へデータを送信する。【００３３】
音声復号部１５は、信号分離部１４で分離した音声データを復号する。音声復号部１５で復号された音声情報は、スピーカ１６から出力される。音声復号部１５で復号された音声情報は、音声出力部１７から外部機器へ出力してもよい。【００３４】
映像復号部１８は、信号分離部１４で分離した映像データを復号する。映像復号部１８で復号された映像情報は、重畳部１９に送られる。【００３５】
重畳部１９は、映像復号部１８から送られる復号映像情報に、各種プログラム機能部で作成されたＥＰＧ画像、ＯＳＤ画像や、信号分離部１４で分離された各種情報（字幕情報、字幕スーパー、データ放送データ等）から生成された画像等を重畳する。また、重畳部１９は、後述するブラウザエンジン２１０１で作成されたブラウザ表示画面と映像信号とを合成したり、またはそれらの選択切換を行う。重畳部１９を経た映像情報は表示部２０で表示される。【００３６】
表示部２０は、例えばテレビやパソコンのディスプレイあるいは液晶パネル等によって構成され、放送・配信された映像や各種操作をするためのＵＩ、Ｗｅｂブラウザ、ストレージ２６に格納された画像等の表示を行なう。また、重畳部１９を経た映像情報は、映像出力部２１から外部機器へ出力してもよい。表示する画像、映像はアプリケーションプログラムで生成された画像でもよく、チューナ・復調部１２を介して受信したコンテンツの画像、映像でもよく、通信Ｉ／Ｆ２２を介して外部ネットワーク６上のサーバーから受信した画像、映像でもよく、通信Ｉ／Ｆ２２を介して無線端末３または無線端末４から受信した画像、映像でもよい。
また、信号分離部１４で所定の番組についてのトランスポートストリームを分離し、映像や音声を復号せずに出力するデジタルＩ／Ｆ２７を設けてもよい。【００３７】
ストレージ２６は、アプリケーションプログラムや、アプリケーションプログラムで作成した各種情報を保存する。また、チューナ・復調部１２や通信Ｉ／Ｆ２２にて受信した信号から映像音声ストリーム等のコンテンツを保存することができる。メモリ２５は、制御部２４の制御により、ストレージ２６に格納しているアプリケーションプログラムの機能部が展開される。【００３８】
表示部２０にて表示する画像や映像は、アプリケーションプログラムで生成された画像、チューナ・復調部１２を介して受信したコンテンツの画像や映像、通信Ｉ／Ｆ２２を介して外部ネットワーク６上のコンテンツ配信サーバ７から受信した画像や映像、通信Ｉ／Ｆ２２を介して無線端末３または無線端末４から受信した画像や映像のいずれも可能である。【００３９】
また本実施例では、テレビ受信機を使用する例を説明するが、表示部やスピーカを省略してレコーダーを用い、外部接続されたテレビ受信機やディスプレイ、スピーカに同様の映像音声を提示させることで本実施例を実施することも可能である。また、本実施例では１はテレビ受信機として説明をするが、ＳＴＢ（セットトップボックス）やレコーダーなどで代替することも可能であり、この場合は図１（ｂ）のテレビ受信機の構成からスピーカ１６や表示部２０を省略することも可能である。【００４０】
また、前述した通信Ｉ／Ｆを備えたモニター装置、大型タブレット端末または電子黒板等でも本実施例を実施することも可能である。この場合は図１（ｂ）のテレビ受信機の構成からアンテナ１１、チューナ・復調部１２、選局制御部１３および信号分離部１４を省略することも可能である。【００４１】
［無線端末のハードウェア構成］
図１（ｃ）は無線端末３の構成図の一例である。なお、無線端末４の各部の構成は、無線端末３と同様のため説明を省略する。【００４２】
無線端末３は、例えば、チューナ・復調部３１、信号分離部３２、メモリ３３、ストレージ３４、加速度センサ部３５、地磁気センサ部３６、制御部３７、表示部３８、通信Ｉ／Ｆ３９、移動体通信Ｉ／Ｆ４０、入力手段４１、ＧＰＳ受信部４２、ジャイロセンサ部４３を有し、それぞれの処理部がバス４４を介して接続される。【００４３】
無線端末３は、アプリケーションプログラムをストレージ３４に格納しており、制御部３７がストレージ３４から上記プログラムをメモリ３３に展開し、制御部３７が上記プログラムを実行することで各種機能を実現する。以後の説明では簡単のために、制御部３７が各アプリケーションプログラムを実行して実現する各種機能を、メモリ３３に展開された「各種プログラム機能部」が主体となって実現するものとして説明する。【００４４】
上記アプリケーションプログラムは、無線端末３が出荷時点で予めストレージ３４に格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）などの光学メディアや半導体メモリ等の媒体に格納されて、図示しない媒体接続部を介して無線端末３にインストールされてもよい。また、通信Ｉ／Ｆ３９及び無線ルーター５を介して外部ネットワーク６からダウンロードしてインストールしてもよい。若しくは移動体通信Ｉ／Ｆ４０を介して基地局９（配信元）からダウンロードしてインストールしてもよい。さらに、ネットワークを介してアプリケーションプログラムを取得したパーソナルコンピュータ（ＰＣ）に図示しない外部機器接続Ｉ／Ｆを介して接続し、ＰＣから無線端末３にムーブまたはコピーしてインストールすることも可能である。【００４５】
なお、上記アプリケーションプログラムによる各種機能は、同様の機能を持つ処理部としてハードウェアで実現することも可能である。ハードウェアとして実現する場合は、各処理部が主体となって各機能を実現する。【００４６】
チューナ・復調部３１と信号分離部３２は、それぞれ図１（ｂ）におけるテレビ受信機１のチューナ・復調３１と信号分離部３２と同等の働きを持つ。これらの機能は既に説明したので説明を省略する。【００４７】
通信Ｉ／Ｆ３９は、無線ＬＡＮなどにより、無線ルーター５を介してテレビ受信機１の通信Ｉ／Ｆ２２と各種情報の送受信を行う。また通信Ｉ／Ｆ３９は、無線ルーター５を介して外部ネットワーク６と接続され、外部ネットワーク６上のコンテンツ配信サーバー７等と各種情報の送受信を行う。例えば、前述したテレビ受信機１と同様に外部ネットワーク６と接続されたコンテンツ配信サーバー７等から、ＩＰ放送やビデオオンデマンドなどの形態でコンテンツストリーム（映像音声ストリーム）を受信することが可能である。また、外部ネットワーク６と接続されたコンテンツ配信サーバー７等から映像ストリームやアプリケーションプログラムをダウンロードすることも可能である。ダウンロードしたデータまたは情報は、例えばストレージ３４に格納される。無線ルーター５との通信機能に加えてまたはこれに替えて、Ｗｉ‐Ｆｉ（登録商標）などの無線ＬＡＮや、ＩｒＤＡ（登録商標）、Ｂｌｕｅｔｏｏｔｈ（登録商標）、ＮＦＣ（Near Field Communication）などの方法で、無線ルーター５を介さずにテレビ受信機１またはテレビ受信機２などの他の機器と直接通信することが可能である。通信Ｉ／Ｆ３９は、異なる通信方式を行うチップをそれぞれ実装しても良い。また、複数の通信方式を扱う１つのチップとして実装されていても良い。移動体通信Ｉ／Ｆ４０は、ＧＳＭ（登録商標）（Global System for Mobile Communications）方式、Ｗ−ＣＤＭＡ(Wideband Code Division Multiple Access)方式やＣＤＭＡ２０００方式、ＵＭＴＳ（Universal Mobile Telecommunications System）方式などの第３世代移動通信システム（以下「３Ｇ」と表記する）、またはＬＴＥ（Long Term Evolution）方式などの移動体通信網を利用して基地局９を通して通信ネットワークに接続され、通信ネットワーク上のサーバーと情報の送受信を行うことができる。【００４８】
制御部３７は、入力手段４１を介してユーザーの操作要求を受け取り、信号分離部３２、メモリ３３（各種プログラム機能部）、表示部３８、通信Ｉ／Ｆ３９を制御する。また、制御部３７は、通信Ｉ／Ｆ３９及び無線ルーター５を経由して外部ネットワーク６から、または移動体通信Ｉ／Ｆ４０及び基地局９を経由して通信ネットワークから、各種情報、コンテンツまたはアプリケーションプログラムを取得でき、各種プログラム機能部に渡す機能も有する。【００４９】
ストレージ３４は、アプリケーションプログラムや、アプリケーションプログラムで作成した各種情報を保存する。また、チューナ・復調部３１、通信Ｉ／Ｆ３９、または移動体通信Ｉ／Ｆ４０から受信した信号から映像音声ストリーム等のコンテンツを保存することができる。メモリ３３は、制御部３７の制御により、ストレージ３４に格納しているアプリケーションプログラムの機能部が展開される。【００５０】
表示部３８は、ストレージ３４に格納された画像や映像、放送・配信された映像、各種操作をするためのＵＩやブラウザ等を表示する。表示する画像、映像は、アプリケーションプログラムで生成された画像、チューナ・復調部３１を介して受信したコンテンツの画像や映像、通信Ｉ／Ｆ３９を介して外部ネットワーク６上のコンテンツ配信サーバー７から受信した画像や映像、通信Ｉ／Ｆ３９を介してテレビ受信機１から受信した画像や映像、移動体通信Ｉ／Ｆ４０を介して通信ネットワーク上のサーバーから配信された画像や映像などいずれも可能である。また表示部３８は、例えば下記のタッチパネル等と一体として構成されてもよい。【００５１】
入力手段４１は、ユーザーからの無線端末３に対する入力操作を受け付ける入力デバイスであり、例えば、物理的なボタンやタッチパネルなどを用いることができる。以下、本実施例では、タッチパネルを使用した例について説明するが、各種操作は物理的なボタンを用いる構成でもよい。【００５２】
タッチパネルを使用することにより、タッチパネル上の任意のオブジェクト（アイコン）等を指でタッチした状態で移動する操作（ドラッグ操作）または画面上で指をはじくようにして動かす操作（フリック操作）を行うことによりオブジェクト等を自由に移動したりすることができる。また、オブジェクト等を指で１回叩く操作（タップ操作）または２回叩く操作（ダブルタップ操作）を行うと、オブジェクト（アイコン）等を活性化したり別の画面に切り替えたりすることができる。本実施例では、上述のタッチパネルの各操作をドラッグ操作、フリック操作、タップ操作と称して説明する。【００５３】
加速度センサ部３５は、無線端末３にかかる加速度を測定する。制御部３７は、例えば加速度センサ部３５により重力加速度を測定することによって、無線端末３のどの部分が上方であるのかを知ることができ、表示部３８に表示させる画面の上方を加速度センサ部３３が測定した上方と合わせるように表示させることによって、ユーザーによる無線端末３の持ち方に合わせた画面を表示させることができる。地磁気センサ部３６は、複数の磁気センサを利用するなどして地磁気を測定する。【００５４】
ＧＰＳ受信部４２は、ＧＰＳ（Ｇｒｏｂａｌ  Ｐｏｓｉｔｉｏｎｉｎｇ  Ｓｙｓｔｅｍ）を利用して複数の衛星から送信される信号を受信する。制御部３７は、ＧＰＳ受信部４２が受信した信号を基に、無線端末３の位置情報を計算することができる。ジャイロセンサ部４３は、無線端末３をユーザーが動かした場合などに発生する無線端末３の角速度を測定する。【００５５】
［サーバーのハードウェア構成］
図１（ｄ）はコンテンツ配信サーバー７の構成図の一例である。コンテンツ配信サーバー７は、例えば、通信Ｉ／Ｆ５０、制御部５１、メモリ５２、ストレージ５３から構成され、それぞれの処理部がバス１５７を介して接続される。【００５６】
コンテンツ配信サーバー７は、アプリケーションプログラムをストレージ５３に格納しており、制御部５１がストレージ５３から上記プログラムをメモリ５２に展開し、制御部５１が上記プログラムを実行することで各種機能を実現することができる。以後の説明では簡単のために、制御部５１が各アプリケーションプログラムを実行して実現する各種機能を、メモリ５２に展開された「各種プログラム機能部」が主体となって実現するものとして説明する。【００５７】
通信Ｉ／Ｆ５０は、外部ネットワーク６に接続され、外部ネットワーク６を経由して無線ルーター５に接続され、テレビ受信機１またはテレビ受信機２の通信Ｉ／Ｆ２２、無線端末３または無線端末４の通信Ｉ／Ｆ３９と各種情報の送受信を行う。また、通信Ｉ／Ｆ５０は、基地局９を経由して通信ネットワークから無線端末３または無線端末４の移動体通信Ｉ／Ｆ４０と各種情報の送受信を行うことができる。【００５８】
制御部５１は、通信Ｉ／Ｆ５０、メモリ５２（各種プログラム機能部）、ストレージ５３を制御する。また、制御部５１は、ストレージ５３のコンテンツ５４に蓄積されたコンテンツを通信Ｉ／Ｆ５０、外部ネットワーク６または基地局９を介してテレビ受信機１またはテレビ受信機２、無線端末３または無線端末４に渡す機能も有する。【００５９】
ストレージ５３は、アプリケーションプログラムや、アプリケーションプログラムで作成した各種情報を保存する。また、コンテンツ、機器認証情報およびユーザー管理情報などを蓄積する機能も持つ。メモリ５２は、制御部５１の制御により、ストレージ５３に格納しているアプリケーションプログラムの機能部が展開される。【００６０】
［テレビ受信機のソフトウェア構成］
図２（ａ）は、図１（ｂ）における、テレビ受信機１またはテレビ受信機２の構成のうちメモリ２５とストレージ２６の構成を示す図である。図２（ａ）においてストレージ２３は、ブラウザプログラム２００１、接続機器認証プログラム２００６、コンテンツ再生プログラム２００７、各種アプリケーションプログラム２００８、アカウント管理プログラム２００９およびコンテンツ・アプリ同期処理プログラム２０１０を格納している。これらのプログラムは制御部２４によりメモリ２５に展開され、制御部２４がプログラムを実行することでブラウザエンジン２１０１、接続機器認証部２１０６、コンテンツ再生部２１０７、各種アプリケーション部２１０８、アカウント管理部２１０９およびコンテンツ・アプリ同期処理部２１１０としての機能を実現する。ブラウザプログラム２００１、接続機器認証プログラム２００６、コンテンツ再生プログラム２００７、各種アプリケーションプログラム２００８、アカウント管理プログラム２００９およびコンテンツ・アプリ同期処理プログラム２０１０は、製品の出荷時点でストレージ２６に格納しておいてもよく、通信Ｉ／Ｆ２２を介してダウンロードしてもよい。制御部２４はこれらのプログラムを実行して各種機能を実現するが、以下の説明では、説明を簡単にするため、メモリ２５内の各機能部が主体となって各種機能を実現するものとして説明する。【００６１】
ブラウザエンジン２１０１は、ＨＴＭＬパーサー２１０２、データベース生成部２１０３、レンダリング部２１０４および画像処理部２１０５の各機能ブロックから構成される。
ＨＴＭＬパーサー２１０２は、制御部２４を介して取得したＨＴＭＬデータの論理的な構造を解析する。また、取得したＨＴＭＬデータを解釈し、テレビ受信機１で使用する内部データへ変換することができる。
データベース生成部２１０３は、そのＨＴＭＬデータ構造に関するデータベースを生成する。
レンダリング部２１０４は、データベースを基に各タグで決められた表現形式の情報を含むレイアウト構造を生成し、このレイアウト構造を基に、大きさ、位置、画像を取り込んだデータの通りにブラウザ表示画面を生成する。
画像処理部２１０５は、ＨＴＭＬデータに画像タグで指定された画像ファイルの配置及び画像ファイル名などの画像ファイル情報に基づいて、取得した画像ファイルをビットマップ形式等の画像データに変換する。【００６２】
接続機器認証部２１０６は、テレビ受信機１のストレージ２６の各種データから取得したユーザーＩＤおよびパスワードなどの認証情報と、無線端末３または無線端末４の接続機器認証部３１０６から送信された認証情報とを比較し、機器認証情報が一致する場合は、無線端末３の接続機器認証部３１０６に対して接続を許可する。一方、認証情報が誤っている場合には、無線端末３の接続機器認証部３１０６からの接続を認証しない。
テレビ受信機１のストレージ２６の各種データに記憶される認証情報は、ユーザーによる入力手段２３を用いた入力によって、若しくはテレビ受信機１の工場出荷前などに予め設定される。また、上記の認証情報はユーザによる操作によって表示部２０に表示させたり、テレビ受信機１の購入時に添付された書類等によってユーザーが確認できるものとする。また、無線端末３または無線端末４のユーザー名とＭＡＣアドレスを、接続機器の認証情報として、テレビ受信機１のストレージ２６や図示しない不揮発性メモリなどに格納してもよい。【００６３】
上記は認証方法の一例であり、例えば無線ＬＡＮでテレビ受信装置１と、無線端末３または無線端末４を接続する場合にＳＳＩＤ（Service Set Identifier）とＷＥＰキーまたはＷＰＳキーを用いた認証・暗号化方法を用いることができる。認証の方法や認証成功時に送受信する情報の暗号化の方法などは公知の技術を用いればよく、本実施例では特に限定をしない。
また、無線端末の操作により、テレビ受信機側でコンテンツ配信サーバー７からコンテンツの配信を受け視聴する場合は、接続機器認証部２１０６は、各種データに記憶された認証情報を、通信Ｉ／Ｆ２２、無線ルーター５を経由してコンテンツ配信サーバー７のユーザー管理部４１０１に対して送信する機能を持つ。また、このときはコンテンツ配信サーバー７に送信する機器認証情報は、無線端末３または無線端末４のユーザープロファイル生成部３１０９で生成されたユーザープロファイル情報のユーザー情報と関連付けされる。また、コンテンツ配信サーバー７が認識可能な情報として別々に管理することもできる。【００６４】
コンテンツ再生部２１０７は、外部ネットワーク６を介して、コンテンツ配信サーバー７から配信されるコンテンツ（例えば映画やドラマなど）のデータやコンテンツ情報を受信し、逐次受信した映像や音声等を再生することでユーザーに提示する。本実施例では、ストリーミングによるコンテンツの配信および再生の場合について説明するが、後述する実施例のようにサーバーからコンテンツのデータを予めすべて取得して蓄積しておき、蓄積完了後に視聴再生を行うこともできる。この場合は、コンテンツデータは、ストレージ２６のコンテンツ２２０１に格納される。
また、コンテンツの再生停止位置の情報は、ストレージ２６の各種データにレジューム情報として記憶することができ、同一ユーザーによる同一コンテンツの再生を再開する場合には、レジューム情報から再生停止した位置データを取得して再生開始位置とすることができる。レジューム情報は、無線端末から取得したユーザープロファイル情報を参照してユーザー毎に設定される。【００６５】
各種アプリケーション部２１０８は、ブラウザエンジン２１０１、コンテンツ再生部２１０７など図２（ａ）に示すアプリケーション以外に、ユーザーが好みに合わせてコンテンツ配信サーバー７からダウンロードを行ったアプリケーションを示す。各アプリケーションは、入力手段２３によりユーザーからの操作を受け、表示部２０に表示されたアプリケーション起動用アイコンのタップ操作により起動する。【００６６】
アカウント管理部２１０９は、接続機器認証部２１０６により無線端末３または無線端末４の認証が完了すると、認証された無線端末３または無線端末４を認証済みのユーザーアカウントとして設定する。また、無線端末３または無線端末４で生成されたユーザープロファイル情報を取得すると、それを基にしてユーザーアカウントとユーザープロファイルとをユーザーＩＤ毎に関連付けて登録し、管理する。
また、アカウント管理部２１０９は、同時に複数のユーザーアカウントを受け付けることができ、またそれぞれを独立して管理することができる。各ユーザーアカウントに対して、同時動作が可能な場合は操作を許可し、同時動作が不可能で排他的な動作をしなければならない場合は、先に使用しているユーザーの無線端末に対して、そのユーザー情報を後からのユーザーの無線端末に対して送信し、テレビ受信機１の使用権の譲り受けや残りの使用時間等の問合せが可能となっている。【００６７】
コンテンツ・アプリ同期処理部２１１０は、各無線端末のユーザープロファイルを参照して無線端末３または無線端末４にダウンロードされたアプリケーションの種類とテレビ受信機１または２にダウンロードされたアプリケーションを比較し、後述する機器種別情報により整合性を確認し、不足しているアプリケーションがある場合は、対応するアプリケーションをダウンロードすることにより、無線端末とテレビ受信機のアプリケーションを同期することができる。また、ダウンロードコンテンツについても、上記と同様にダウンロードすることにより、無線端末とテレビ受信機のアプリケーションを同期することができる。また、アプリケーションやコンテンツをダウンロードする場合は、表示部２０に確認のためのメッセージを表示することができ、入力手段２３によりダウンロードの可否を選択するようにしてもよい。【００６８】
［無線端末のソフトウェア構成］
図２（ｂ）は、図１（ｃ）における、無線端末３または無線端末４の構成のうちメモリ３３とストレージ３４の構成を示す図である。図２（ｂ）においてストレージ３４は、ブラウザプログラム３００１、機器認証プログラム３００６、コンテンツ再生プログラム３００７、各種アプリケーション部３００８およびユーザープロファイル生成部３００９を格納している。これらのプログラムは制御部３７によりメモリ３３に展開され、制御部３７がプログラムを実行することでブラウザエンジン３１０１、接続機器認証部３１０６、コンテンツ再生部３１０７、各種アプリケーション部３１０８およびユーザープロファイル生成部３１０９として機能を実現する。ブラウザプログラム３００１、機器認証プログラム３００６、コンテンツ再生プログラム３００７、各種アプリケーションプログラム３００８およびユーザープロファイル生成プログラム３００９は、製品の出荷時点でストレージ３４に格納しておいてもよく、通信Ｉ／Ｆ３９または移動体通信Ｉ／Ｆ４０を介してダウンロードしてもよい。制御部３７はこれらのプログラムを実行して各種機能を実現するが、以後の説明では、メモリ３３内のプログラム機能部が主体となって実現するものとして説明する。【００６９】
ブラウザエンジン３１０１は、テレビ受信機１のブラウザエンジン２１０１と同様に、ＨＴＭＬパーサー３１０２、データベース生成部３１０３、レンダリング部３１０４、画像処理部３１０５の各機能ブロックから構成される。ＨＴＭＬパーサー３１０２、データベース生成部３１０３、レンダリング部３１０４、画像処理部３１０５の説明は、ブラウザエンジン２１０１と同様のため、詳細の説明は省略する。【００７０】
接続機器認証部３１０６は、テレビ受信機１からの認証を受けるために、ユーザーによる入力手段４１を用いた入力によって予め各種データに記憶された接続機器の認証情報を、通信Ｉ／Ｆ３９、無線ルーター５を経由して、テレビ受信機１の接続機器認証部２１０６に対して送信する。また、２回目以降に認証を行う場合は、ストレージ３４の各種データに記憶された接続機器の認証情報を参照することにより認証情報の入力を省略することもできる。
さらに、接続機器認証部３１０６は、各種データに記憶された認証情報をコンテンツの配信先の認証情報として、通信Ｉ／Ｆ３９または移動体通信Ｉ／Ｆ４０を経由して後述するコンテンツ配信サーバー７のユーザー管理部４１０１に対して送信する機能を持つ。また認証情報は、ユーザープロファイル生成部３１０９で生成されたユーザープロファイル情報のユーザー情報と関連付けされた、コンテンツ配信サーバー７が認識可能な情報としてユーザープロファイル情報とは別に管理することもできる。【００７１】
コンテンツ再生部３１０７は、外部ネットワーク６または移動体通信Ｉ／Ｆ４０を介して、コンテンツサーバー７等から配信されるコンテンツ（例えば映画やドラマなど）のデータやコンテンツ情報を受信し、逐次受信した映像や音声等を再生することでユーザーに提示する。本実施例では、ストリーミングによるコンテンツの配信および再生の場合について説明するが、後述する実施例のようにサーバーからコンテンツのデータを予めすべて取得して蓄積しておき、蓄積完了後に視聴再生を行うこともできる。この場合は、コンテンツデータは、ストレージ３４のコンテンツ３２０１に格納される。
また、コンテンツの再生停止位置の情報は、ストレージ３４の各種データにレジューム情報として記憶することができ、同一コンテンツの再生を再開する場合にレジューム情報から再生停止した位置データを取得し再生開始位置とすることができる。レジューム情報は、ユーザープロファイル情報にも保存することができる。【００７２】
各種アプリケーション部３１０８は、ブラウザエンジン３１０１、コンテンツ再生部３１０７など図２（ｂ）に示すアプリケーション以外に、ユーザーが好みに合わせてコンテンツ配信サーバー７からダウンロードを行ったアプリケーションを示す。各アプリケーションは、入力手段４１によりユーザーからの操作を受け、表示部２０に表示されたアプリケーション起動用アイコンのタップ操作により起動する。【００７３】
ユーザープロファイル生成部３１０９は、接続機器からの認証を受けるためのユーザー認証情報や、メニュー等のユーザーが好みに応じて設定した情報、さらに購入時に実装されていたものやダウンロードにより購入等により入手したアプリケーションのタイトルを等の情報をユーザープロファイル情報として生成する機能を持つ。ユーザーにより変更された設定状態や新たに購入したアプリケーション等の情報は、最新状態に更新される。【００７４】
[サーバーのソフトウェア構成]
図２（ｃ）は、図１（ｄ）における、コンテンツ配信サーバー７の構成のうちメモリ５２とストレージ５３の構成を示す図である。図２（ｂ）においてストレージ５３は、ユーザー管理プログラム４００１、コンテンツ管理プログラム４００２およびコンテンツ配信プログラム４００３を格納している。これらのプログラムは制御部５１によりメモリ５２に展開され、制御部５１がプログラムを実行することでユーザー管理部４１０１、コンテンツ管理部４１０２およびコンテンツ配信管理部４１０３としての機能を実現する。ユーザー管理プログラム４００１、コンテンツ管理プログラム４００２およびコンテンツ配信プログラム４００３は、予め外部ストレージなどに格納することができる。制御部５１はこれらのプログラムに従って各種機能を実現するが、以下の説明では、説明を簡単にするため、メモリ５２内の各機能部が主体となってそれぞれの機能を実現するものとして説明する。【００７５】
ユーザー管理部４１０１は、ユーザー毎に認証を行うためのユーザー認証情報と、ユーザーが所有する機器を認証するための機器認証情報などを管理する。ユーザー認証情報および機器認証情報は、それぞれストレージ５３のユーザー認証情報５６および機器認証情報５５に保存される。ユーザー管理部４１０１は、通信Ｉ／Ｆ５０、外部ネットワーク１１を通して無線端末３やテレビ受信機１のユーザーにより入力手段２３または入力手段４１を用いた入力によって入力されたユーザー名およびパスワードのユーザー認証情報と、ユーザーが使用する機器の機器認証情報を取得し、予め記憶されているユーザーに小情報と照合することで正規の登録ユーザーであるかどうか、また、ユーザーが所有する機器がサービス事業者により許可された同一ユーザーの機器台数内であるかどうかを確認する。もし、ユーザー認証情報が正しくなかったり、許可された機器台数を超えているような場合は、エラー情報を返信する機能を持つ。【００７６】
コンテンツ管理部４１０２は、コンテンツまたはアプリケーションデータ、およびこれらに付随する情報から構成されるコンテンツ情報またはアプリケーション情報を管理する。動画などのコンテンツ情報は、コンテンツを一意に識別するためのコンテンツＩＤ（管理番号）、コンテンツフォーマット、コンテンツ説明情報（ジャンル、タイトル、出演者、内容など）、コンテンツデータ、およびコンテンツのサイズや表示に適する装置の対象、コンテンツの配信サービスあるいは配信されたコンテンツを再生視聴したことにより発生する料金、視聴期間などを記録する。【００７７】
また、アプリケーション情報は、アプリケーションを一意に識別するためのアプリケーションＩＤ（管理番号）、アプリケーション説明情報、アプリケーションのサイズや表示に適する装置の対象、アプリケーションをダウンロードしたことにより発生する料金等を記録する。【００７８】
なお、これら各種情報は、ハードディスク等の記録メディアを用いて記録され、コンテンツ管理部４１０２が管理するメモリ上に読み込まれてもよい。また、コンテンツまたはアプリケーションデータと、コンテンツまたはアプリケーションデータを説明するデータ（メタデータ）等としていくつかに分けて管理してもよい。インターネット等の通信経路にて悪意の第３者から保護するためにＲＳＡ暗号技術などを用いて暗号化されたコンテンツを解読して再生するための鍵情報を管理するようにしてもよい。なお、これら各種情報は、ハードディスク等の記録メディアを用いて記録され、コンテンツ管理部４１０２が管理するメモリ上に読み込まれてもよい。【００７９】
コンテンツ配信部４１０３は、通信Ｉ／Ｆ５０、外部ネットワーク１１を通して無線端末３やテレビ受信機１などの機器からの配信要求に基づき、ストレージ５３のコンテンツ５４に蓄積された動画などのコンテンツを接続機器の表示性能に合わせて配信制御を行うことができる。本実施例では、コンテンツ５４は内容が同じ複数の解像度のコンテンツを有しており、配信時の機器認証情報により表示性能に合わせたコンテンツを配信する。なお、高画質（ＨＤ）のみのコンテンツを蓄積しておいて、配信時に表示性能に合わせて適宜ダウンコンバートして配信するようにしてもよい。【００８０】
［データ形式］
図３（ａ）、（ｂ）は、それぞれ無線端末３または無線端末４のユーザープロファイル生成部３１０９で管理されるユーザープロファイル情報の内容例を示すデータテーブルである。ユーザープロファイル情報には、ユーザーＩＤ（管理番号）１０１、パスワード１０２、一意のユーザー名１０３、設定パラメータ１０４、アプリケーション種別１０５およびダウンロードコンテンツ１０６、機器種別情報１０７などが記憶されている。【００８１】
ユーザーＩＤ１０１およびパスワード１０２は、コンテンツ配信サーバー７からコンテンツの配信を受けるときの認証情報である。また、本実施形態ではユーザープロファイル情報に認証情報を含めているが、セキュリティ等の関係で認証情報をユーザープロファイル情報に含めないようにもできる。
設定パラメータ１０４は、メニュー等のユーザーが好みに応じて設定した情報を含む。
アプリケーション種別１０５は、購入時に実装されていたものやダウンロードにより購入等により入手したアプリケーションのタイトルを含む。
機器種別情報１０７は、携帯端末やタブレット等の種別、使用しているＯＳ等のアプリケーションやコンテンツ再生時の互換性を表す情報であり、ユーザーエージェント（利用者があるプロトコルに基づいてデータを利用する際に用いるソフトウェアまたはハードウェア）を利用しても良い。本実施例では、ユーザーＩＤおよびパスワードによるユーザー認証を前提に説明するが、指静脈や指紋、音声、顔画像、虹彩等の一般的生体認証などであってもよく、その場合には適宜ユーザー認証情報の項目が変わる。【００８２】
図４（ａ）は、コンテンツ配信サーバー７のユーザー管理部４１０１で管理されるユーザー認証情報５６の内容例を示すデータテーブルである。ユーザー管理部４１０１で管理するユーザー認証情報５６には、ユーザーＩＤ（管理番号）１０１、パスワード１０２、一意のユーザー名１０３、氏名、住所および連絡先などが記憶されている。本実施例では、パスワードによるユーザー認証を前提に説明するが、指静脈や指紋、音声、顔画像、虹彩等の一般的生体認証などであってもよく、その場合には適宜ユーザー認証情報の項目が変わる。ユーザー認証情報は、テレビ受信機１または無線端末３等の機器からコンテンツ配信サービスにログインするときのログイン情報として使用される。【００８３】
図４（ｂ）は、コンテンツ配信サーバー７のユーザー管理部４１０１で管理される機器認証情報５５の内容例を示すデータテーブルである。機器認証情報５５には、ユーザーＩＤ（管理番号）１０１、パスワード１０２、ユーザーが利用する機器を示す機器ＩＤ１０４および機種名などが含まれており、機器を一意に識別するための情報であり、事前にユーザーがコンテンツ配信サービス事業者に登録しているものとする。また、本実施例では、ユーザーＩＤ１０１が「００００１０１」のユーザーは、機器ＩＤ１０４に示す機器を２台所有していることを示しており、無線端末３とテレビ受信機１が機器登録されているものとする。パスワード１０２は、ユーザー認証情報のパスワードと異なるものを使用しても良い。また、機器ＩＤ１０４は、ＭＡＣ（Ｍｅｄｉａ  Ａｃｃｅｓｓ  Ｃｏｎｔｒｏｌ）アドレスなどの機器固有の情報を使用することもできる。さらに、再生可能なコンテンツの種類の区別、映像処理能力のリソース情報等をあらかじめ機器ＩＤと関連付けてデータベースとして蓄積しておくこともできる。【００８４】
［動作シーケンス］
次に、本実施形態におけるシステムの動作について図５〜図１２を参照して説明する。テレビ受信機１は、テレビ受信機１に付属のリモコン等を使用し、１（ＴＶ）：１（リモコン）の形態でテレビ受信機を単体で使用する場合と、一台または複数の無線端末を使用して、１（ＴＶ）：１（無線端末）または１（ＴＶ）：ｎ（無線端末）の形態で使用する場合がある。本実施形態においては、テレビ受信機１と一台の無線端末３を接続した、１（ＴＶ）：１（無線端末）の形態で使用する場合の実施例について述べる。また、複数の無線端末で１（ＴＶ）：ｎ（無線端末）の形態で使用する場合の実施例について、後述する第二の実施形態で述べる。また、テレビ受信機１を付属のリモコン等を使用し、１（ＴＶ）：１（リモコン）の形態でテレビ受信機を単体で使用する場合の実施例について、後述する第三の実施形態で述べる。【００８５】
図５は、本実施形態に係る動作シーケンスの一例を示す図である。
図５において、無線端末３は操作端末として用いられ、コンテンツ配信サーバー７からテレビ受信機１にコンテンツを配信してテレビ受信機１にコンテンツを表示させる場合のテレビ受信機１とコンテンツ配信サーバー７との間でのコンテンツ情報のやりとりを開始するまでの動作を示す。
図６は、無線端末３のメニュー画面の表示例を示す。また、図７は、無線端末３の接続機器一覧表示画面の表示例を示す。【００８６】
図５において、図６のメニュー画面２０１の「ＴＶ操作Ａｐｐ」２０２をタップ操作すると、無線端末３の各種アプリケーション部３１０８は、入力手段４１によりアプリの起動の指令を受け、「ＴＶ操作Ａｐｐ」アプリを起動する（Ｓ１０１）。【００８７】
「ＴＶ操作Ａｐｐ」アプリが起動すると、無線端末３の表示部３８に図７に示すような機器一覧リスト２０４を表示する（Ｓ１０２）。図７において、機器一覧リスト２０４には、ネットワークに接続されている機器が見つかった場合は認証済みまたは未認証にかかわらず表示され、見つかった機器は、認証または未認証の情報と合わせて、ストレージ３４に保存される。【００８８】
機器一覧リスト２０４には、本実施例では「ＴＶ１（テレビ受信機１）表示」２０６、「ＴＶ２（テレビ受信機２）」表示２０７および「テレビ接続しない」２０８が表示されており、「ＴＶ１」が認証済みの機器であることを示している。「テレビ接続しない」２０８は、機器との認証を行わずに、無線端末単体で使用する場合に選択するべき項目である。【００８９】
無線端末３は、ネットワークに接続されている機器のうち、接続機器認証部２１０６によって既に認証されている機器、即ち、機器ＩＤが機器認証情報に登録されている機器については、図７に示すように「認証済み」を表示し、認証されていない機器、即ち機器ＩＤが未登録の機器については「未認証」を表示する。図７においては、無線端末３において「ＴＶ１（テレビ受信機１）表示」２１５が既に認証されている場合の表示例を示している。また、選択中の機器にはチェックマーク２０９が表示され、ユーザーはどの機器が選択中か判別できる。また、「編集」ボタン２０５は、接続機器を削除したり接続機器を追加したりするためのボタンである。【００９０】
図７において、入力手段４１により接続する機器が選択されると、無線端末３の接続機器認証部３１０６は、テレビ受信機１からの認証を受けるために、あらかじめ各種データに登録された接続機器認証情報を通信Ｉ／Ｆ３９、通信Ｉ／Ｆ２２を経由して、テレビ受信機１の接続機器認証部２１０６に対して送信する（Ｓ１０３）。ここでは、ステップＳ１０３において、テレビ受信機１が選択された場合を例として説明する。【００９１】
テレビ受信機１の接続機器認証部２１０６は、無線端末３から接続機器認証情報を受信すると、各種データに記憶された認証情報と無線端末３から送信された認証情報を比較し、認証情報が一致する場合は（Ｓ１０４：ＹＥＳ）既に認証済みのユーザーが存在するかどうか確認する（Ｓ１０５）。認証済みのユーザーが存在しない場合は（Ｓ１０５：ＮＯ）、無線端末３に対して接続を許可する（Ｓ１０６）。無線端末３の認証が完了すると、アカウント管理部２１０９は、無線端末３を認証済みのユーザーアカウントとして設定する。
もし、認証情報が一致しない場合は（Ｓ１０４：ＮＯ）、無線端末３のユーザーに対してエラーメッセージを送信する。認証情報が一致しない場合は、再入力を促すようなメッセージを表示してもよい。また、既に認証済みのユーザーが存在する場合は（Ｓ１０５：ＹＥＳ）、メッセージを送信し、先に認証済みの無線端末を優先し、無線端末３の使用を中止することができる。【００９２】
ここで、テレビ受信機１の電源が入っていない等の理由で応答がない場合は、ステップＳ１０３でテレビ受信機１の電源を起動するための電源オンコマンドを付加して機器認証を再度行うこともできる。このような処理により、テレビ受信機１を遠隔操作で利用する機器を絞り込むことができ、セキュリティを高めることができる。また、前回と同一機器に接続する場合は、自動的に認証を行うことによりステップＳ１０２を省略することもできる。【００９３】
次に、無線端末３は、ステップＳ１０６で接続許可が通知されると、無線端末３のユーザープロファイル生成部３１０９は、無線端末３のユーザーのプロファイル情報を生成し（Ｓ１０７）、テレビ受信機１に対してプロファイル情報を送信する（Ｓ１０８）。テレビ受信機１は受信したプロファイル情報を、ステップＳ１０４での認証済みのユーザーアカウントと関連付けてストレージ２６の各種データに無線端末３のユーザープロファイル情報として保存する（Ｓ１０９）。【００９４】
次に、無線端末３によりテレビ受信機１を操作した後に、無線端末３とテレビ受信機１の機器接続を終了する場合について説明する。無線端末３の表示部３８に表示される「終了」ボタン（図示はしていない）をタップ操作すると、テレビ受信機１に対して操作情報（機器接続終了）を送信する（Ｓ１１０）。テレビ受信機１は、無線端末３から取得したユーザープロファイル情報を消去し（Ｓ１１１）、無線端末３に対して機器接続終了（ログアウト）応答を送信しログアウトする（Ｓ１１２）。【００９５】
ここで、ユーザープロファイル情報は、図３で説明したように、ユーザーＩＤ１０１やパスワード１０２のような認証情報とメニュー等の設定パラメータ情報１０４、お好みアプリ１０５、お好みコンテンツ１０６、機器種別情報１０７等の情報を含んでおり、無線端末３の機器認証情報と対応して独立して保存することにより、テレビ受信機１で継続使用する場合に設定状態、機器状態等を無線端末３と同一の状態で使用することができる。また、ステップＳ１０９で保存したプロファイル情報が、テレビ受信機１の操作の途中で変更になった場合にも、更新データを最新データとして保存することが出来る。また、更新されたプロファイル情報は、ステップＳ１１０で機器接続を終了する前に無線端末３にインポートすることもできる。更新データの扱いについては、後述する第四の実施形態で述べる。【００９６】
次に、テレビ受信機１とコンテンツ配信サーバー７とがコンテンツの情報のやり取りを行い、テレビ受信機１においてコンテンツが表示される際の動作について図８を参照して説明する。図８は、本実施形態に係る動作シーケンスの一例を示す図である。【００９７】
図８において、図５のシーケンス（Ｓ１０１〜Ｓ１０９）に引き続き、新たにステップＳ２０１〜ステップＳ２２５を追加したものである。【００９８】
テレビ受信機１は、無線端末３に対して無線端末３の表示部３８に操作画面を表示するための操作画面情報を送信する（Ｓ２０１）。無線端末３は、操作画面情報に基づいて、表示部３８に図９に示すような操作画面を表示する。図９は、無線端末３の操作画面の表示例を示す。【００９９】
図９（ａ）、（ｂ）において、操作画面２１０には、接続した機器に対応した操作ボタン２１２、２１３が表示される。接続機器表示２１１は、現在接続されている機器を表している。また、操作画面２１３を左右にフリック操作すると、操作ボタンの操作画面を切り換えることができる。図９（ａ）において、左方向にフリックすると、図９（ｂ）のような操作画面に切り換えることができる。また、逆の操作を行うことにより図９（ｂ）から図９（ａ）の操作画面に戻すことができる。本実施例では、２つの操作画面としているが、各機器毎に１つ又は複数の操作画面を持つこともできる。また、操作画面はお好みによりボタンの配置を変更したり、使用頻度の多い順に自動または手動で並べ替えたりすることもできる。また、「三角マーク」２１４は、操作画面を終了するためのもので、「三角マーク」２１４をタップ操作すると操作画面２１０を閉じて、図６に示すメニュー画面に戻すことができる。【０１００】
ここで、本実施例では、ステップＳ２０1で操作画面情報をテレビ受信機１から取得するようにしているが、無線端末３で予めダウンロードしたアプリケーションプログラムを実装すること操作画面情報の取得を省略するようにしても良い。【０１０１】
図９（ｂ）において、無線端末３の入力手段４１により操作画面の「Ａｐｐメニュー」ボタン２１５をタップ操作すると、テレビ受信機１に対して「Ａｐｐメニュー」ボタン２１５の「操作情報（選択）」を送信する（Ｓ２０３）。テレビ受信機１の制御部２４は、「Ａｐｐメニュー」ボタン２１５の「操作情報（選択）」を受信すると、図５のステップＳ１０９で保存したユーザープロファイル情報を参照し、表示部２０に図１０のような無線端末３のユーザー設定に基づくＡｐｐメニュー画面２１７を表示する。図１０は、テレビ受信機１のＡｐｐメニュー画面の表示例を示す。【０１０２】
ここで、図示はしていないが、図５のユーザープロファイル情報に基づくＡｐｐメニューのアプリ起動用アイコンのオブジェクトが示すアプリケーションがテレビ受信機１のＡｐｐメニューに存在しない場合において、コンテンツ・アプリ同期処理部２１１０は、整合性があるアプリケーションを検索し、コンテンツ配信サーバー７からダウンロードすることにより、無線端末３とテレビ受信機１とでアプリケーションを同期することができる。【０１０３】
次に、無線端末３の操作画面２１０の「カーソル／決定」ボタン２１６がタップ操作されると、ステップＳ２０３と同様に「操作情報（選択）」が送信され、テレビ受信機１は、受信した「操作情報（選択）」に基づき、例えばＡｐｐメニュー画面２１７の中の「コンテンツ配信サービス」アイコン２１８が選択される（Ｓ２０４）、テレビ受信機１の各種アプリケーション部２１０８は、ブラウザ起動の指令を受け、ブラウザエンジン２１０１を起動する（Ｓ２０５）。ブラウザエンジン２１０１は、図５のステップＳ１０９で保存したユーザープロファイル情報を参照し、無線端末３で予め設定されたコンテンツ視聴ポータルのコンテンツ配信サーバー７にアクセスを行う。ここで、コンテンツ視聴ポータルのアドレスは、ユーザープロファイル情報の設定パラメータ内の例えば「お好み設定」等に予め設定されたアドレス一覧から選択するようにしてもよいし、最後にアクセスしたアドレスを保存しておいて、そのアドレスにアクセスするようにしてもよい。【０１０４】
次に、ブラウザエンジン２１０１は、ＨＴＴＰ（ＨｙｐｅｒＴｅｘｔ  Ｔｒａｎｓｆｅｒ  Ｐｒｏｔｏｃｏｌ）に準拠したＷｅｂコンテンツ等のリソースを要求するリクエストメッセージを通信Ｉ／Ｆ２２、無線ルーター５を経由して、外部ネットワーク６からコンテンツ配信サーバー７に送信する。コンテンツ配信サーバー７は、受け取ったリクエストメッセージに応じたレスポンスメッセージを作成して返信する。返信されたレスポンスメッセージは、外部ネットワーク６を経由してブラウザエンジン２１０１に入力される。レスポンスメッセージにはＨＴＭＬ文書が埋め込まれている。ブラウザエンジン２１０１のＨＴＭＬパーサー２１０２、データベース生成部２１０３、レンダリング部２１０４、画像処理部２１０５が連動して、上記ＨＴＭＬ文書に基づいてブラウザ表示画面を生成し、表示部２０にコンテンツ視聴ポータルのログイン画面を表示する（Ｓ２０６）。【０１０５】
制御部２４は、上記処理により表示されたログイン画面において、ステップ２０３と同様の操作情報により、入力されたユーザー名およびパスワードのログイン情報をブラウザエンジン２１０１に通知し、受け取った文字列をリクエストメッセージとしてコンテンツ配信サーバー７に送信する（Ｓ２０７）。コンテンツ配信サーバー７は、ユーザー管理部４１０１によりユーザー認証情報５６に保存されたユーザー認証情報を参照し、正規の登録ユーザーであればユーザーを認証する（Ｓ２０８）。【０１０６】
ここで、本実施例では、ステップＳ２０６において、セキュリティ等の関係でユーザープロファイル情報にユーザーの認証情報を含めないような選択をした場合の実施例として、ログイン画面を表示するようにしているが、図５のステップＳ１０９で保存したユーザープロファイル情報のユーザーＩＤおよびパスワードを参照することにより、自動的に認証処理を行うようにすることもできる。この場合は、Ｓ２０６のステップを省略することができる。【０１０７】
次に、コンテンツ配信サーバー７のコンテンツ管理部４１０２は、Ｓ２０８の認証が完了すると、コンテンツ一覧情報をレスポンスメッセージとしてブラウザエンジン２１０１に返信する（Ｓ２０９）。ここで送信されるコンテンツ一覧情報とは、コンテンツ管理部４１０２において管理されているコンテンツの一覧を表示するための情報であり、管理されているコンテンツを識別するための情報が含まれる。ブラウザエンジン２１０１は、コンテンツ管理部４１０２からコンテンツ一覧情報を受信すると、そこに含まれる、コンテンツを一意に識別するためのコンテンツＩＤ、コンテンツ説明情報（ジャンル、タイトル、出演者、内容など）、コンテンツの再生視聴時の料金、視聴期間等を参照し、表示部２０に図１１に示すようなコンテンツ一覧表示画面を表示する（Ｓ２１０）。【０１０８】
図１１は、テレビ受信機１のコンテンツ一覧表示画面の表示例を示す図である。
図１１において、コンテンツタイトル表示２１９には、コンテンツタイトル名、視聴料金、視聴期間等が表示される。また、「戻る」ボタン２２１は、タップ操作により上の階層に戻るためのボタンであり、一つ前のジャンル階層に戻ることができる。図１１の例では、映画のジャンルの内の「邦画」２２２を選択していることを示している。「終了」ボタン２２３は、タップ操作によりコンテンツ視聴を中止することを指示するための操作部である。【０１０９】
図１１に示す画面において、無線端末３の操作情報によりコンテンツ一覧表示画面で視聴したいコンテンツのタイトル２２０が選択されると、図１２に示すコンテンツ詳細表示画面が表示される。図１２は、テレビ受信機１のコンテンツ詳細表示画面の表示例を示す図である。図１２において、コンテンツ詳細部２２５には、タイトル、出演者、内容詳細などが表示される。「プレビュー」ボタン２２７は、購入する前にコンテンツ内容の一部を確認するために、コンテンツの一部分の表示を指示すための操作部である。インデックス画面２２６はコンテンツの一場面を表す静止画像であり、プレビュー２２７を選択することによりコンテンツの一部を動画表示することができる。【０１１０】
「購入」ボタン２２８ａ、ｂは、コンテンツを選択、購入するための操作部である。図１２の例においては、ＨＤ（Ｈｉｇｈ  Ｄｅｆｉｎｉｔｉｏｎ）画質、ＳＤ（Ｓｔａｎｄａｒｄ  Ｄｅｆｉｎｉｔｉｏｎ）画質夫々の画質のコンテンツを選択して購入するために、夫々に関連付けられた「購入」ボタン２２８ａ、ｂが設けられている。「戻る」ボタン２２９は、図１１のコンテンツ一覧表示画面に戻る、即ち、コンテンツ一覧表示画面への表示の切り替えを指示するための操作部である。【０１１１】
図１２に示すコンテンツ詳細表示画面において、無線端末３の操作情報により「購入」ボタン２２８ａ、ｂのいずれかが選択されると（Ｓ２１１）、制御部２４はコンテンツ配信サーバー７に対して、コンテンツ選択情報を送信する（Ｓ２１２）。コンテンツ選択情報には、所望のコンテンツを識別する情報と、必要であれば所望のコンテンツがＨＤ画質であるかＳＤ画質であるかを識別する情報とが含まれている。【０１１２】
コンテンツ配信サーバー７は、コンテンツ選択情報に基づいて識別されたコンテンツを復号をするための鍵情報を生成して、その鍵情報をテレビ受信機１に対して送信する（Ｓ２１３）。鍵情報としては、暗号化されたコンテンツの情報を復号するための復号鍵に加え、コンテンツ毎にコンテンツＩＤ、有効期限（または有効回数）等で構成される。なお、この鍵情報の送信ステップＳ２１３は、コンテンツに暗号化が必要な場合であって、不要な場合には省略してもよい。【０１１３】
テレビ受信機１は、コンテンツ配信サーバー７から鍵情報を受信し、コンテンツの受信準備が完了すると、コンテンツ配信開始要求を送信する（Ｓ２１４）。テレビ受信機１からの配信開始要求を受けたコンテンツ配信サーバー７のコンテンツ配信部４１０３は、テレビ受信機１に対するコンテンツ配信を開始する（Ｓ２１５）。【０１１４】
図９（ｂ）に示す画面において、入力手段１５を介したユーザーの操作により操作画面２１３の「再生」がタップ操作されると（Ｓ２１６）、無線端末３は、テレビ受信機１に対して操作情報（再生）を送信する（Ｓ２１７）。操作情報（再生）を受信したテレビ受信機１においては、コンテンツ再生部２１０７が、コンテンツの再生処理を行う。この際、復号鍵がある場合にはそれを用いて暗号化されたコンテンツの情報を復号してコンテンツの再生を開始する（Ｓ２１８）。【０１１５】
図９（ｂ）に示す操作画面において、操作画面２１３の停止操作の操作ボタンが選択された場合（Ｓ２１９）、無線端末３は、操作情報（停止）をテレビ受信機１に送信し（Ｓ２２０）、テレビ受信機１はコンテンツ配信サーバー７に対して、配信停止要求を送信する（Ｓ２２１）。コンテンツ配信サーバー７は、テレビ受信機１からの配信停止要求を受け取るか、またはコンテンツ配信サーバー７がコンテンツの終端を検出した場合（Ｓ２２２）は、コンテンツの配信を停止し（Ｓ２２３）、テレビ受信機１に対してコンテンツ配信終了通知を送信する（Ｓ２２４）。テレビ受信機１は、コンテンツ配信終了通知を受けると、コンテンツの再生を停止する（Ｓ２２５）。【０１１６】
ここで、テレビ受信機１は、ステップＳ２１９で再生を停止すると、コンテンツ再生開始前の状態に戻るようにすることもできる。また、ステップＳ２１９を経た再生停止の場合、コンテンツの再生停止位置の情報は、ストレージ２６の無線端末３のユーザーのプロファイル情報にレジューム情報として保存される。そして、無線端末３を介して再度再生操作が行われ、同一ユーザーによる同一コンテンツの再生を再開する場合に、テレビ受信機１のコンテンツ再生部２１０７は、レジューム情報から再生停止した位置データを取得し、それを再生開始位置として再生を再開することができる。また、コンテンツの再生停止位置の情報は、コンテンツ配信サーバー７側で持つようにもできる。この場合、コンテンツ配信サーバー７は、ステップＳ２１５において、コンテンツの情報と共にコンテンツの再生停止位置の情報を送信する。これにより、テレビ受信機１においては、コンテンツ配信サーバー７からコンテンツの情報と共に取得した再生停止位置の情報に基づいて算出した再生開始位置から配信を開始することができる。【０１１７】
また、本実施形態では、コンテンツ配信サーバー７からコンテンツの配信を受けてコンテンツを再生する場合の動作フローについて説明したが、図８のステップＳ２１５のタイミングでコンテンツデータのすべてを取得して蓄積し、蓄積完了後に視聴再生するようにしてもよい。この場合は、図８のステップＳ２２２およびステップＳ２２３の処理は不要となる。また、鍵情報の送信ステップＳ２１３で、テレビ受信機１はコンテンツ配信サーバー７から受信した鍵情報をストレージ２６に記憶しておくこともできるし、鍵情報を毎回破棄し、コンテンツを再生する度に、コンテンツ配信サーバーからステップ２１８のタイミングで鍵情報を取得することもできる。【０１１８】
また、無線端末３でコンテンツ配信サーバー７からダウンロードしたコンテンツを途中まで再生して、続きをテレビ受信機１で再生視聴したい場合は、ユーザープロファイル情報を基に、テレビ受信機１のコンテンツ・アプリ同期処理部２１１０により無線端末３とテレビ受信機１とでダウンロードコンテンツを同期することも可能である。ここで、無線端末３を単体で使用する場合は、テレビ受信機１のコンテンツ再生部２１０７と同様に、コンテンツ再生部３１０７がコンテンツの再生処理を行う。【０１１９】
このように、無線端末を使用してテレビ受信機を操作することにより、テレビ受信機を複数のユーザーで共有することができ、各人のプライバシーを保護しながら使い分けることができる。また、無線端末での使用環境を引き継ぎ、テレビ受信機で同一の使用環境でテレビ受信機を操作することができる。
【実施例２】
【０１２０】
以下、本発明に係る第二の実施形態を、図１３、図１４および図１５を用いて説明する。
また、第一の実施形態と比較し、異なるところを強調して説明する。システム構成、テレビ受信機１のソフトウェア構成、無線端末３のソフトウェア構成については、第一の実施形態と同様のため説明は省略する。【０１２１】
［動作シーケンス］
図１３は、第二の実施形態に係る動作シーケンスの一例を示す図である。本実施形態においては、１台のテレビ受信機を複数の無線端末で、１（ＴＶ）：ｎ（無線端末）形態で使用する場合の実施例について述べる。図１３は、第一の実施形態の図５に対応する動作を示すシーケンス図であり、無線端末３がテレビ受信機１から認証を受け、テレビ受信機１が無線端末３からプロファイル情報を取得する場合の一実施例を示す。第一の実施形態の図５に対して、制限モードの処理（ステップＳ３０１〜ステップＳ３０３）が追加になっている。【０１２２】
図１３において、第一の実施形態と同様に「ＴＶ操作Ａｐｐ」アプリを起動し、機器接続一覧表示画面で接続機器を選択し、無線端末３は、テレビ受信機１からの認証を受ける（Ｓ１０１〜Ｓ１０３）。【０１２３】
テレビ受信機１の接続機器認証部２１０６は、無線端末３から機器認証情報を受信すると、各種データに記憶された認証情報と無線端末３から送信された認証情報を比較し、認証情報が一致する場合は（Ｓ１０４：ＹＥＳ）、次に既に認証済みのユーザーが存在するどうか確認する（Ｓ１０５）。認証済みのユーザーが存在しない場合は（Ｓ１０５：ＮＯ）、無線端末３に対して接続を許可する（Ｓ１０６）。無線端末３の認証が完了すると、アカウント管理部２１０９は、無線端末（無線端末１）３を認証済みのユーザーアカウントとして設定する。もし、認証情報が一致しない場合は（Ｓ１０４：ＮＯ）は、無線端末３に対してメッセージを送信しエラー内容を通知する。【０１２４】
次に、既に認証済みのユーザーが存在する場合は（Ｓ１０５：ＹＥＳ）、無線端末３に対してテレビ受信機１を制限モードで使用するかどうかのメッセージを送信する。図１４は、無線端末３のメッセージ表示画面の表示例を示す。図１４において、メッセージ表示画面２３０の「はい」２３１が無線端末３の入力手段４１により選択されると（Ｓ３０１：ＹＥＳ）、テレビ受信機１に対して制限モード操作要求を送信する（Ｓ３０２）。テレビ受信機１の制御部２４は、無線端末３からの制限モード操作要求を受信すると、テレビ受信機１を制限モードに設定する（Ｓ３０３）。もし、メッセージ画面２３０の「いいえ」が選択された場合は（Ｓ３０１：ＮＯ）は、ここで無線端末３の使用を中止することができる。【０１２５】
制限モードは、テレビ受信機１に既に認証済みのユーザーが存在する場合に、既ユーザーが使用しておらず、既ユーザーと制限モードで操作を行うユーザとが並列に動作可能な機能のみを制限的使用できるようにするためのモードである。例としては、既ユーザーがＴＶ番組視聴中である場合は、視聴予約、録画予約または録画した番組を他の機器に配信するような機能が並列で動作可能とすることができる。このときは、ステップＳ３０１：ＹＥＳのタイミングで、後から使用するユーザーに対して現在動作可能な機能を無線端末３の表示部３８に一覧表示するようにしても良いし、無線端末３に表示される操作画面表示のうち、使用不可能な機能をグレー表示して選択できないようにするようにしても良い。【０１２６】
この場合は、テレビ受信機１の制御部２４から通信Ｉ／Ｆ２２を介して無線端末３に一覧表示もしくはグレー表示する機能を特定するための制限機能特定情報が送信され、制限機能特定情報を受信した無線端末３は上記のように特定された機能を一覧表示もしくはグレー表示する。なお、既ユーザーが使用している機能と制限モードで使用可能な機能とを対応付けて無線端末３のストレージ３４に記憶させ、テレビ受信機１からは既ユーザーが使用している機能を特定する情報を送信することや、改めてテレビ受信機１から無線端末３へ使用可能な機能のみを表示するように変更された操作画面情報を送信することでも上記のように表示することができる。【０１２７】
また、本実施形態では、既に認証済みのユーザーの無線端末の使用を優先し、後から接続したユーザーアカウントに対しては制限モードで使用する場合の実施例としているが、図１９のアカウント設定で予めユーザーアカウントに優先順位を設定しておくこともできる。この場合は、後から接続したアカウントの優先順位が高い場合は、優先度の低い無線端末を強制的に中断するなどにより優先使用するようにできる。
以下、ステップＳ１０６〜ステップＳ１０９までは、第一の実施形態の図５と同じため、説明を省略する。【０１２８】
次に、テレビ受信機１とコンテンツ配信サーバー７とがコンテンツの情報のやり取りを行い、テレビ受信機１においてコンテンツが表示される際の動作について図１５および図８を参照して説明する。図１５は、本実施形態に係る動作シーケンスの一例を示す図である。図１５において、図１３のシーケンス（Ｓ１０１〜Ｓ１０５、Ｓ３０１〜Ｓ３０３、Ｓ１０６〜Ｓ１０９）に新たにＳ４０１〜Ｓ４０４を追加したものである。【０１２９】
図１５において、第一の実施形態と同様に、テレビ受信機１は、無線端末３に対して無線端末３の表示部３８に操作画面を表示するための操作画面情報を送信し、「Ａｐｐメニュー」から「コンテンツ配信サービス」アイコンを選択する（Ｓ２０１〜Ｓ２０４）。【０１３０】
テレビ受信機１のアカウント管理部２１０９は、図１３のステップ３０３で制限モードに設定されているため、「コンテンツ配信サービス」に対して既ユーザーにより操作または動作している機能と同時動作が可能かどうか判断し、もし同時動作可能であれば（Ｓ４０１：ＹＥＳ）、図８のステップＳ２０５の処理に移る。ステップＳ２０５以降の処理は図８と同様のシーケンスのため説明を省略する。【０１３１】
無線端末４のユーザーが既ユーザーであるとすると、ステップＳ４０１で、同時動作ができない場合は（Ｓ４０1：ＮＯ）、アカウント管理部２１０９は、無線端末４（既認証済みユーザー）の使用者情報を無線端末３へ送信する。ここで、使用者情報は、使用者（またはニックネーム）、メールアドレス等を含めることができ、テレビ受信機１機器認証情報に関連付けて事前に登録しているものとする。【０１３２】
次に、無線端末３は、テレビ受信機１から受け取った使用者情報を基に無線端末４（既認証済みユーザー）宛のメールを生成する（Ｓ４０２）。このメールには、テレビ受信機１の使用権を譲れないかどうか譲渡可否、またはもし譲れない場合はいつまで使用するかなどの使用期限等問合せ内容を含む。無線端末３は、無線端末４（既認証済みユーザー）宛へメールを送信し（Ｓ４０３）、無線端末４（既認証済みユーザー）からメール返信を受け取る（Ｓ４０４）。本実施例では、ステップＳ４０２，Ｓ４０３で自動でメール生成し送信するようにしているが、使用者情報によるメールアドレス作成、メール文章作成まで自動で行い、ユーザーが内容を確認後、メール送信するようにしてもよい。【０１３３】
このように、複数の無線端末でテレビ受信機を１（ＴＶ）：ｎ（無線端末）で使用する場合でも、並列に操作または動作可能な場合に無線端末の使用環境で操作可能となる。また、並列の操作または動作が不可能な場合は、既に使用しているユーザーの無線端末に対して、使用権の譲渡や使用期限等の問合せを自動的にメール送信することができる。
【実施例３】
【０１３４】
以下、本発明に係る第三の実施形態を、図１６、図１７、図１８および図１９を用いて説明する。
なお、本実施形態では、無線端末を使用しないでテレビ受信機１をリモコン等で使用する場合の実施例である。また、第二の実施形態と比較し、異なるところを強調して説明する。システム構成、テレビ受信機１のソフトウェア構成については、第一の実施形態と同様のため説明は省略する。【０１３５】
[動作シーケンス]
図１６は、第三の実施形態に係る動作シーケンスの一例を示す図である。本実施形態においては、テレビ受信機１を付属のリモコン等を使用し、１（ＴＶ）：１（リモコン）の形態で使用する場合の実施例について述べる。無線端末を使用しないでテレビ受信機１を使用する場合は機器認証操作が不要である。【０１３６】
図１６において、テレビ受信機１の電源やチャンネル等を操作すると、テレビ受信機１に既に認証ユーザーが存在する場合（Ｓ５０１：ＹＥＳ）は、図１８に示すように、メッセージ表示画面２３２を表示する。図１８は、テレビ受信機１のメッセージ表示画面の表示例を示す。図１８において、メッセージ表示画面２３７の「はい」２３３がテレビ受信機の入力手段２３により選択されると（Ｓ５０２：ＹＥＳ）、テレビ受信機のアカウント管理部２１０９は、テレビ受信機１を制限モードに設定する（Ｓ５０３）。次に、アカウント管理部２１０９は、ユーザー情報としてはアカウント設定が無いとき、すなわちテレビ受信機１自体のアカウントのプロファイル情報を読み出す。【０１３７】
ここで、テレビ受信機１のアカウントの認証状態を、図１９のメニュー画面２３４で確認またはに認証設定することができる。図１９は、テレビ受信機１のメニュー表示画面の実施例を示す。テレビ受信機１は、付属のリモコン等を使用して単体で使用する場合と、複数の無線端末を接続して使用する場合とがあり、テレビ受信機１を単体で使用する場合は、アカウント設定はデフォルトで「認証なし」に設定される。アカウント設定２３５には、本実施例では、「テレビ表示」２３６、「無線端末１表示」２３７および「無線端末２表示」２３８が表示されており、「テレビ」は認証なし、「無線端末１」は認証済み、「無線端末２」は未認証の機器であることを示している。また、図示はしていないが「編集」ボタン２４０で「テレビ」を認証ありに設定することもできる。【０１３８】
図１７は、本実施形態に係る動作シーケンスの一例を示す図である。図１７は、図１６のシーケンス（Ｓ５０１〜Ｓ５０４）に引き続き、テレビ受信機１とコンテンツ配信サーバー７とのコンテンツ情報のやり取りを行い、テレビ受信機１においてコンテンツが表示される際の動作を示している。【０１３９】
テレビ受信機１の入力手段２３により、図１０のＡｐｐメニュー画面２２２の中の「コンテンツ配信サービス」アイコン２１８が選択される（Ｓ２０４）と、図１６のステップ５０３で制限モードに設定されているため、テレビ受信機１のアカウント管理部２１０９は、「コンテンツ配信サービス」が既ユーザーにより操作または動作している機能と同時動作可能かどうか判断し、もし同時動作可能であれば（Ｓ４０１：ＹＥＳ）、ステップＳ２０５以降の処理に移る。同時動作不可能であれば（Ｓ４０１：ＮＯ）、テレビ受信機１の操作を中止することができる。ステップＳ２０５以降の処理は、図８のテレビ受信機１とコンテンツ配信サーバー７間のシーケンス動作と同様のため説明を省略する。【０１４０】
このように、本実施例ではテレビ受信機１の付属のリモコン等を使用して、無線端末を使用しないでテレビ受信機１を１（ＴＶ）：１（リモコン）で使用する場合に、機器認証操作が不要であり、無線端末を所有していないユーザーでも操作することができ、プライバシーに依存しない操作を容易に行うことが可能となる。
【実施例４】
【０１４１】
以下、本発明に係る第四の実施形態を、図２０を用いて説明する。
また、第一、第二または第三の実施形態と比較し、異なるところを強調して説明する。システム構成、テレビ受信機１のソフトウェア構成、無線端末３のソフトウェア構成については、第一の実施形態と同様のため説明は省略する。【０１４２】
［動作シーケンス］
図２０は、本実施形態に係る動作シーケンスの一例を示す図である。本実施形態では、第一の実施形態の図５で、ステップＳ１０９で保存したプロファイル情報が、テレビ受信機１の操作の途中で変更になった場合に更新されたプロファイル情報を無線端末側に保存するようにしたものである。図２０では、新たにＳ６０１〜Ｓ６０５が追加されている。【０１４３】
入力手段２３が受け付けたユーザーによる操作によって無線端末３の表示部２０にプロファイルインポート画面表示（図示はしていない）が表示される（Ｓ６０１）。携帯端末３の入力手段によりプロファイルインポートが選択されると、携帯端末３の制御部３７は、テレビ受信機１に対して、プロファイル情報送信要求を送信する（Ｓ６０２）。テレビ受信機１は、プロファイル情報送信要求を受信した時点での無線端末３のプロファイル情報を生成し（Ｓ６０３）、プロファイル情報を無線端末３に送信する（Ｓ６０４）。無線端末３は、テレビ受信機１から取得したプロファイル情報を無線端末３のプロファイル情報として保存する（Ｓ６０５）。なお、テレビ受信機１と無線端末３とで、互換性のない設定パラメータ等については、フィルタリング等により無線端末３側に反映しないようにすることもできる。【０１４４】
このように、テレビ受信機側で保存されたプロファイル情報が、テレビ受信機１の操作の途中で変更になった場合でも、更新されたプロファイル情報をインポートすることにより無線端末側に保存することができ、テレビ受信機１での操作を中断することなく、継続して操作をすることができる。
【実施例５】
【０１４５】
以下、本発明に係る第五の実施形態を、図２１を用いて説明する。
また、第三の実施形態と比較し、異なるところを強調して説明する。システム構成、テレビ受信機１のソフトウェア構成、無線端末３のソフトウェア構成については、第一の実施形態と同様のため説明は省略する。【０１４６】
［動作シーケンス］
図２１は、本実施形態に係る動作シーケンスの一例を示す図である。本実施形態では、第三の実施形態でテレビ受信機１を単体で使用する場合に、先行して無線端末３のプロファイル情報をテレビ受信機１にエクスポートしておいて、無線端末３と同様の使用環境でテレビ受信機１を単体で使用する場合の一実施例を示す。図２１は、第三の実施形態の図１６または図１７の動作フローの開始の前に、新たにステップＳ７０１〜ステップＳ７０７を追加したものである。【０１４７】
入力手段２３が受け付けたユーザーによる操作によって無線端末３の表示部３８にプロファイルエクスポート画面が表示（図示はしていない）される（Ｓ７０１）と、第一の実施形態の図７に示すような接続機器一覧表示画面が表示される（Ｓ７０２）。接続機器一覧表示画面において入力手段４１により接続する機器が選択されると、テレビ受信機１に対して認証情報を送信する（Ｓ７０３）。テレビ受信機１は、無線端末３からの認証情報を受信し認証情報が一致したと判断すると、無線端末３に対して機器認証許可を行う（Ｓ７０４）。接続許可を受けた無線端末３は、プロファイル情報を生成し（Ｓ７０５）、テレビ受信機に対してプロファイル情報をエクスポートする（Ｓ７０６）。テレビ受信機１は、取得したプロファイル情報を保存し（Ｓ７０７）、プロファイル情報のエクスポートを完了する（Ｓ７０８）。以下、第三の実施形態の図１６または図１７と同じため、説明を省略する。【０１４８】
このように、テレビ受信機１を単体で使用する場合に先行して、無線端末３のプロファイル情報を事前にエクスポートしておくことにより、無線端末３と同様の使用環境でテレビ受信機１を単体で使用することができる。
【実施例６】
【０１４９】
以下、本発明に係る第六の実施形態を、図２２を用いて説明する。
また、第二の実施形態と比較し、異なるところを強調して説明する。システム構成、テレビ受信機１のソフトウェア構成、無線端末３のソフトウェア構成については、第一の実施形態と同様のため説明は省略する。【０１５０】
［動作シーケンス］
図２２は、本実施形態に係る動作シーケンスの一例を示す図ある。本実施形態では、第二の実施形態の図１５で、すでに認証済みのユーザー（無線端末４）が存在し、コンテンツ配信サービス等で操作または動作を行っているときに、他のユーザーが制限モードで動作を行っており、テレビ受信機１が２画面などのマルチ画面により、複数のチャンネルの番組を同時表示ができるような場合の一実施例について述べる。第二の実施形態の図１５に対して、新たにステップＳ８０１〜Ｓ８０３を追加したものである。【０１５１】
図２２において、テレビ受信機１は、無線端末３に対して操作画面情報を送信し（Ｓ２０１）、無線端末３の表示部３８に図９（ａ）に示す操作画面２１３を表示する（Ｓ２０２）。次に、例えば入力手段４１により操作画面２１３のチャンネルボタン「４」がタップ操作されると、テレビ受信機１に対して操作情報（選局）が送信される（Ｓ２０３）。【０１５２】
テレビ受信機１のアカウント管理部２１０９は、無線端末３が図１３のステップ３０３で制限モードに設定されているため、無線端末３から受け付けた操作が既ユーザーにより操作または動作している機能と同時動作が可能かどうか判断する（Ｓ４０１）。テレビ受信機１は、すでに認証済みのユーザー（無線端末４）が存在し、コンテンツ配信サービスを視聴中であるとすると、同時動作ができないため（Ｓ４０1：ＮＯ）、さらにアカウント管理部２１０９は、２画面などのマルチ画面により同時表示可能か判断する（Ｓ８０１）。選局操作のよる番組視聴とコンテンツ配信サービスは２画面などのマルチ画面により同時表示可能であるので（Ｓ８０１：ＹＥＳ）、マルチ画面により同時表示する（Ｓ８０２）。また、ステップ４０１で同時動作が可能であれば（Ｓ４０１：ＹＥＳ）、図８のステップＳ２０５の処理に移る。ステップＳ２０５以降の処理は図８と同様のシーケンスのため説明を省略する。【０１５３】
また、もし選局操作以外にコンテンツ配信サービスを一旦停止しなければ同時表示ができないような場合は（Ｓ８０１：ＮＯ）、無線端末４（既認証済みユーザー）の使用者情報を無線端末３へ送信する。無線端末３は、テレビ受信機１から受け取った使用者情報を基に無線端末４（既認証済みユーザー）宛のメールを生成する（Ｓ４０２）。このメールには、第二の実施例と同様にテレビ受信機１の使用権を譲れないかどうか譲渡可否、またはもし譲れない場合はいつまで使用するかなどの使用期限等問合せ内容を含む。無線端末３は、無線端末４（既認証済みユーザー）宛へメールを送信し（Ｓ４０３）、無線端末４（既認証済みユーザー）からメール返信を受け取る（Ｓ４０４）。【０１５４】
また、テレビ受信機１は、ステップ８０２でマルチ画面により同時表示した場合も、無線端末４（既認証済みユーザー）の使用者情報を無線端末３へ送信することもできる（Ｓ８０３）。また、ステップ８０２でマルチ画面に切り替える前に、表示部２０にメッセージを表示するようにもできる。【０１５５】
このように、複数の無線端末でテレビ受信機を１（ＴＶ）：ｎ（無線端末）で使用する場合に、並列の操作または動作が不可能な場合でもマルチ画面による同時表示が可能な場合は、一旦マルチ画面で同時表示を行い、同時に既に使用しているユーザーの無線端末に対して、使用権の譲渡や使用期限等の問合せを自動的にメール送信することができる。【０１５６】
なお、本発明は上記した実施例に限定されるものではなく、様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１５７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。【０１５８】
また、制御線や情報線は説明上必要と考えられるものを示しており、製品上必ずしも全ての制御線や情報線を示しているとは限らない。実際には殆ど全ての構成が相互に接続されていると考えてもよい。【０１５９】
また、上記実施例では、表示部２０を備えたＴＶ１、ＴＶ２等を用いて実施例の説明を行ったが、表示部を外部に備えたＳＴＢ（セットトップボックス）やレコーダー等によっても同様にして本発明を実施することができる。また、通信Ｉ／Ｆを備えたモニター装置、大型タブレット端末または電子黒板等によっても同様にして本実施例を実施することができる。
【符号の説明】
【０１６０】
１  テレビ受信機１
２  テレビ受信機２
３  無線端末１
４  無線端末２
５  無線ルーター
６  外部ネットワーク
７  コンテンツ配信サーバー
８  放送局
９  基地局
１２  チューナ・復調部
１３  選局制御部
１４  信号分離部
１５  音声復号部
１６  スピーカ
１７  音声出力部
１８  映像復調部
１９  重畳部
２０  表示部
２１  映像出力部
２２  通信Ｉ／Ｆ
２３  入力手段
２４  制御部
２５  メモリ
２６  ストレージ
２７  デジタルＩ／Ｆ
３１  チューナ・復調部
３２  信号分離部
３３  メモリ
３４  ストレージ
３５  加速度センサ部
３６  地磁気センサ部
３７  制御部３７
３８  表示部
３９  通信Ｉ／Ｆ
４０  移動体通信Ｉ／Ｆ
４１  入力手段
４２  ＧＰＳ受信部
４３  ジャイロセンサ部
【図１（ａ）】
0006005760.tif 000002
【図１（ｂ）】
0006005760.tif 000003
【図１（ｃ）】
0006005760.tif 000004
【図１（ｄ）】
0006005760.tif 000005
【図２（ａ）】
0006005760.tif 000006
【図２（ｂ）】
0006005760.tif 000007
【図２（ｃ）】
0006005760.tif 000008
【図３（ａ）】
0006005760.tif 000009
【図３（ｂ）】
0006005760.tif 000010
【図４（ａ）】
0006005760.tif 000011
【図４（ｂ）】
0006005760.tif 000012
【図５】
0006005760.tif 000013
【図６】
0006005760.tif 000014
【図７】
0006005760.tif 000015
【図８】
0006005760.tif 000016
【図９（ａ）】
0006005760.tif 000017
【図９（ｂ）】
0006005760.tif 000018
【図１０】
0006005760.tif 000019
【図１１】
0006005760.tif 000020
【図１２】
0006005760.tif 000021
【図１３】
0006005760.tif 000022
【図１４】
0006005760.tif 000023
【図１５】
0006005760.tif 000024
【図１６】
0006005760.tif 000025
【図１７】
0006005760.tif 000026
【図１８】
0006005760.tif 000027
【図１９】
0006005760.tif 000028
【図２０】
0006005760.tif 000029
【図２１】
0006005760.tif 000030
【図２２】
0006005760.tif 000031